(57)【要約】【課題】  ヘッダ−単体を順次連結して構成するヘッダ−の保温材であり、ヘッダ−単体の増設、更にヘッダ−単体を回転可能ならしめた。【解決手段】  給水・給湯の本管に連結される外形断面形状が円形の貫通流路部と、この流路部より直角に伸びる分岐部と、を備えたヘッダ−単体を用い、該貫通流路部を連結してなるヘッダ−における保温材であって、ヘッダ−単体の貫通流路部と分岐部とを二分する位置で二つ割され、内部にヘッダ−単体を内包する凹み部が形成され保温材基体を成形し、貫通流路部の少なくとも両側を包む部位の保温材基体の外形は断面形状が前記貫通流路部と同心円状の円形をなす筒型をなし、かつ、この筒型の一方端を他方側の筒型の外形が嵌り合う拡径部を構成したヘッダ−保温材。２０‥保温材、２１ａ、２１ｂ‥保温材基体、２２‥凹み部、２３‥貫通流路部と同心円状の円形をなす筒型部、２４‥拡径部。【選択図】図４
2005054985.tif 000002
【特許請求の範囲】
【請求項１】
給水・給湯の本管に連結される外形断面形状が円形の貫通流路部と、この流路部より直角に伸びる分岐部と、を備えたヘッダ−単体を用い、該貫通流路部を連結してなるヘッダ−における保温材であって、ヘッダ−単体の貫通流路部と分岐部とを二分する位置で二つ割され、内部にヘッダ−単体を内包する凹み部が形成され保温材基体を成形し、貫通流路部の少なくとも両側を包む部位の保温材基体の外形は断面形状が前記貫通流路部と同心円状の円形をなす筒型をなし、かつ、かかる筒型の一方端を他方側の筒型の外形が嵌り合う拡径部を構成したことを特徴とするヘッダ−保温材。
【請求項２】
ヘッダ−単体を回転可能に連結してなるヘッダ−に対し、端部のヘッダ−単体を請求項１記載の保温材基体にて覆い、次いで、貫通流路部を覆う筒型部を次の保温材基体の拡径部に嵌め込みながら、順次ヘッダ−単体を覆ってなる請求項１記載のヘッダ−保温材。
【請求項３】
貫通流路部を覆う筒型部と、次の保温材基体の拡径部とは、非接着状態とした請求項１又は２記載のヘッダ−保温材。
【請求項４】
保温材基体が、発泡ポリエチレン、発泡ポリプロピレン、発泡ポリスチレン、発泡ポリエステル、発泡ＰＥＴ、発泡ポリウレタン、発泡ゴムから選択される請求項１乃至３いずれか記載のヘッダ−保温材。
【請求項５】
保温材の合わせ面に、粘着剤或いは接着剤を介して保温材を合わせた請求項１記載の保温材の構造。
【発明の詳細な説明】
【技術分野】
【０００１】
本発明は給水・給湯管における本管からの分配を司るヘッダ−の保温材の新規な構造に係るものである。
【背景技術】
【０００２】
従来からの給水・給湯管等のヘッダ−１は金属製のパイプ形状２をなし、これに必要な数の分岐部を備えたものが用いられていた。図１はこのヘッダ−１の一例を示すものであるが、分岐部３の数及び向きは予め設定された数及び向きでありこれを変えることができないという不便さがあった。尚、このヘッダ−１に適用する保温材５は一般に二つ割り５ａ、５ｂとされ、内部にヘッダ−１を内包する凹み６と分岐部３に対応する凹み７が形成された構造のものが用いられる。
【０００３】
近年になり、この種の給水・給湯管のヘッダ−として図２に示すような樹脂製のヘッダ−１０が広く用いられており、ヘッダ−１０の構成は、本管に連なる貫通流路部１２と、この貫通流路部１２より立ち上がる分岐部１３とからなるヘッダ−単体１１を用い、かかるヘッダ−単体１１を順次連結して必要なだけの分岐部１３を備えたヘッダ−１０としたものである。ヘッダ−１１の相互の連結は貫通流路部１２に対して雄雌嵌合構造１４、１５とし、その間にこの離脱を規制するコレット１６や漏水を防止するＯ−リング１７が適用されている。尚、１８はソケットである。
【０００４】
係るヘッダ−１０にあっては、施工後に分岐部１３を増設することはヘッダ−単体１１を連結するだけで済み、その作業は比較的簡単である。更に、ヘッダ−単体１１は相互に連結部をもって回転（矢印）可能であるため、分岐部１３の方向性がなくなり、施工の際に極めて便利な構造となっている。
【０００５】
しかるに、寒冷地にあってはかかるヘッダ−１０も又保温材にて覆う必要があるところ、図１に示すようなヘッダ−１０全体を覆う保温材５を適用した場合にはヘッダ−単体１１を増設することはできず、かつ、折角ヘッダ−単体１１を回転して用いる構造となっているのにもかかわらず、保温材があるために回転ができなくなり、この特徴を生かすことは不可能となっていた。
【発明の開示】
【発明が解決しようとする課題】
【０００６】
本発明は上記したようなヘッダ−単体１１を連結してなるヘッダ−１０の保温材１９を提供するものであり、ヘッダ−単体１１の増設を可能とし、更に、ヘッダ−単体１１を回転させることが可能ならしめたものである。
【課題を解決するための手段】
【０００７】
本発明の要旨は、給水・給湯の本管に連結される外形断面形状が円形の貫通流路部と、この流路部より直角に伸びる分岐部と、を備えたヘッダ−単体を用い、該貫通流路部を連結してなるヘッダ−における保温材であって、ヘッダ−単体の貫通流路部と分岐部とを二分する位置で二つ割され、内部にヘッダ−単体を内包する凹み部が形成され保温材基体を成形し、貫通流路部の少なくとも両側を包む部位の保温材基体の外形は断面形状が前記貫通流路部と同心円状の円形をなす筒型をなし、かつ、かかる筒型の一方端を他方側の筒型の外形が嵌り合う拡径部を構成したことを特徴とするものである。そして、保温材の合わせ面に粘着剤或いは接着剤を介して保温材を合わせるのが更に好ましいものとなる。
【０００８】
更に特徴的には、ヘッダ−単体を回転可能に連結してなるヘッダ−に対し、端部のヘッダ−単体を前項にて特定する保温材基体にて覆い、次いで、貫通流路部を覆う筒型部を次の保温材基体の拡径部に嵌め込みながら、順次ヘッダ−単体を覆ってなるヘッダ−保温材に係るものである。
【０００９】
そして、ヘッダ−単体を保温材を適用した後でも回転可能とするため、貫通流路部を覆う筒型部と、次の保温材基体の拡径部とは、非接着状態としたものである。
【発明の効果】
【００１０】
本発明の保温材の構造を採用することにより被保温体であるヘッダ−は外界とは隔離されて保温されることは勿論のこと、ヘッダ−単体の増設の際にも保温材の適用は容易であり、しかもヘッダ−単体の回転時にもこれに完全に追従することができることとなったもので、その施工性に優れ、かつ、保温機能は有効に発揮されるものである。
【発明を実施するための最良の形態】
【００１１】
本発明のヘッダ−保温材は以上の通りの構成であって、ヘッダ−単体を増設するに当たっても保温材基体をこれに応じて適用すれば済むものであり、何よりもヘッダ−単体を回転する場合、保温材も又このヘッダ−単体と共に回転できることとしたものである。これは貫通流路部を覆う筒型に対しこれを覆う拡径部を備えたことから回転が可能となったものであり、これによって保温機能が維持できることとなったものである。
【００１２】
尚、二つ割り形状とされた保温材基体をヘッダ−単体に適用する場合には、保温材基体の合わせ面を適当な手段で閉じておくことが好ましく、例えば、粘着剤や接着剤を付加しておくことがよく、或いは、合わせ面のラインに沿って粘着又は接着テ−プを貼着するのがより万全である。特に、前者の例にあっては、比較的作業スペ−スの狭いところで適用する保温材に好適である。
【００１３】
又、ヘッダ−単体と保温材基体とを接着剤や粘着剤等によって一体化しておくこともできる。ただし、ヘッダ−単体を保温材基体を適用した後でも回転可能とするため、前記したように貫通流路部を覆う筒型部と、次の保温材基体の拡径部とは、非接着状態とするべきである。
【００１４】
通常、保温材基体は金型内に発泡性樹脂が充填・発泡されて得られるものであり、構成する材料としては、例えば、発泡ポリエチレン、発泡ポリプロピレン、発泡ポリスチレン、発泡ポリエステル、発泡ＰＥＴ、発泡ポリウレタン、発泡ゴム等が選択される。又、これらを任意に複合したものであってもよい。かかる発泡体は独立気泡性のものが好ましいことは勿論である。
【実施例】
【００１５】
以下、実施例をもって更に詳細に説明する。尚、ヘッダ−１０及びヘッダ−単体１１は図２にてその一例を示したのでここでは例示しない。さて、図３は本発明における保温材２０を示すもので、この例は二つ割りされた保温材基体２１ａ、２１ｂの内側の平面図、図４はヘッダ−単体１１を内包しつつ保温材基体２１ａ、２１ｂを合わせて保温材２０とした際の正面図、図５は側面図、図６はＡ−Ａ線端面図である。
【００１６】
このように、７温材２０は通常は二つ割りの保温材基体２１ａ、２１ｂされ、内部にヘッダ−単体１１を内包する凹み部２２が形成され、ヘッダ−単体１１の貫通流路部１２を覆う部位の外形はこの貫通流路部１２と同心円状の円形をなす筒型２３をなしている。そして、筒型２３の一方端を他方側の筒型２３ａの外形が嵌り合う拡径部２４を構成したものである。
【００１７】
即ち、保温材２０は、一の保温材基体２１の円形の筒型２３に対し、隣に位置する保温材基体２１の拡径部２４が嵌り合うものであり、かかる両者は非接着とされることによってヘッダ−単体１１が回転する際にこれに追従して保温材２０も又回転することができることとなったものである。
【００１８】
勿論、ヘッダ−単体１１の増設の際にも保温材基体２１を、増加したヘッダ−単体に適用すれば済むものであり、作業性も簡単に行うことができることとなったのである。
【００１９】
尚、図６にて示すように、この保温材２０の合わせ面に粘着剤３１を挟むことによってより保温効果が向上する。この粘着剤３１は予め剥離紙を表面に備えたテ−プをこの面に貼っておき、使用の際に剥離紙を剥して用いるのが一般的である。そして、場合によっては単独で、或いは、この粘着剤３１と併せて、合わせ面のライン３２に外側より粘着テ−プ３３を貼着することも好ましい対処方法である。
【産業上の利用可能性】
【００２０】
本発明は以上のような特徴を備えたものであり、給水や給湯のヘッダ−のみならず、各種の流体を分岐・分配するヘッダ−や継手に広く用いられることができ、その利用可能性は大きい。
【図面の簡単な説明】
【００２１】
【図１】図１は従来のヘッダ−及び保温材を示す図である。
【図２】図２はヘッダ−基体及びこれを連結したヘッダ−を示す図である。
【図３】図３は本発明における保温材２０を示す図である。
【図４】図４は二つ割された保温材基体を合わせて保温材とした際の正面図である。
【図５】図５は図４の保温材の側面図である。
【図６】図６はＡ−Ａ線端面図である。
【符号の説明】
【００２２】
１０‥ヘッダ−、
１１‥ヘッダ−単体、
１２‥ヘッダ−単体の貫通流路部、
１３‥分岐部、
１４、１５‥雄雌嵌合構造、
１６‥コレット、
１７‥Ｏ−リング、
１８‥ソケット、
２０‥保温材、
２１ａ、２１ｂ‥保温材基体、
２２‥凹み部、
２３‥貫通流路部と同心円状の円形をなす筒型部、
２４‥拡径部、
３１‥粘着剤、
３２‥合わせライン、
３３‥粘着テ−プ。
【図１】
2005054985.tif 000003
【図２】
2005054985.tif 000004
【図３】
2005054985.tif 000005
【図４】
2005054985.tif 000006
【図５】
2005054985.tif 000007
【図６】
2005054985.tif 000008